(57)【要約】【課題】操作されるワイヤへの負荷が軽減でき、軸部への摩耗を抑えつつ、軽量で安価な矯正装具を提供する。【解決手段】矯正装具は、装着者の腰に巻かれる第１ベルトおよび第２ベルトと、第１ベルトと第２ベルトとの基端部同士の間隔を接近させ、腰を締め付ける締め付け部３０とを備えている。締め付け部３０は、第１ベルトと第２ベルトのそれぞれの基端部に並ぶ滑車４１２ａ〜４１２ｇ，５１２ａ〜５１２ｅと、滑車４１２ａ〜４１２ｇ，５１２ａ〜５１２ｅの間を交互に順次掛け回されたワイヤ６１とを備えている。そして、滑車４１２ａ〜４１２ｇ，５１２ａ〜５１２ｅは、軸部４１１ｃ，５１１ｃに取り付けられるベアリングＰ１と、ベアリングＰ１が嵌め込まれる樹脂製で円盤状のベアリング枠Ｐ２とを備えている。【選択図】図８
2020137826.tif 000002
【特許請求の範囲】
【請求項１】
装着者の身体に巻かれる第１ベルトおよび第２ベルトと、前記第１ベルトと前記第２ベルトとの基端部同士の間隔を接近させ、身体を締め付ける締め付け部とを備え、
前記締め付け部は、前記第１ベルトと第２ベルトのそれぞれの基端部に並ぶ滑車と、前記滑車の間を交互に順次掛け回されたワイヤとを備え、
前記滑車は、軸部に取り付けられるベアリングと、前記ベアリングが嵌め込まれる樹脂製で円盤状のベアリング枠とを備えた矯正装具。
【請求項２】
前記ベアリング枠の外周面には、前記ワイヤが巻かれる環状溝が形成された請求項１記載の矯正装具。
【請求項３】
前記締め付け部は、前記軸部が形成されたベース板を備え、
前記ベース板には、前記滑車の半径方向の外側に第１円弧状壁部が形成された請求項１または２記載の矯正装具。
【請求項４】
前記締め付け部は、前記ベース板に被さるカバー部を備え、
前記カバー部は、前記第１円弧状壁部の半径方向の外側となる位置に円弧状突起部を備えた請求項３記載の矯正装具。
【請求項５】
前記滑車が取り外された場合に、前記ワイヤが、前記第１円弧状壁部の半径方向の外側に配線された請求項４記載の矯正装具。
【請求項６】
前記ベース板には、前記軸部を中心に半径方向における前記第１円弧状壁部の外側に第２円弧状壁部が形成された請求項５記載の矯正装具。
【発明の詳細な説明】
【技術分野】
【０００１】
本発明は、装着者の身体に巻き付けて身体の歪みを矯正する矯正装具に関するものである。
【背景技術】
【０００２】
装着者の身体に巻かれる一方のベルトと他方のベルトのそれぞれの基端部に、縦列に並べられた滑車が配置され、この一方のベルトの滑車と他方のベルトの滑車とに、ワイヤを交互に順次掛け回し、ワイヤを引くことで身体への圧迫を高める矯正装具が知られている（例えば、特許文献１参照。）。
【０００３】
特許文献１に記載のウエストベルト用リンクしたウエストサポートは、締付紐で連結された２本の帯状の織物で形成され、両端に第１リンク部と第２リンク部とを有し、連結ウエスト支持部は、第１の端部リンクユニットと第２の端部リンクユニットとの間に配置され、それらによって部分的に重なり合うように形成され、連結ウエストサポートは、ベースプレートと、ベースプレート上に配置され第１連結ケーブルを介して第１エンドリンクユニットに対応して連結された第１サイドリンクユニットと、第１サイドリンクユニットに隣接して配置された第２サイドリンクユニットとを含み、ベースプレートは、第２連結ケーブルを介して第２端部連結ユニットに対応して連結されている、というものである。
【０００４】
このウエストサポートでは、締付紐が巻き回される滑車として、ベアリングが使用されている。
【先行技術文献】
【特許文献】
【０００５】
【特許文献１】米国特許出願公開第２０１４／０１２３３７０号明細書
【発明の概要】
【発明が解決しようとする課題】
【０００６】
特許文献１に記載のウエストサポートでは、滑車としてベアリングを使用しているため、回転により引っ張られるワイヤへの負荷が小さく、軸部への摩耗が少ないという利点があるものの、大径の滑車を使用するときにはベアリングも大径となるため、ベアリングの重量が重くなり、高価であることから部材費用が嵩んでしまう。
【０００７】
そこで本発明は、操作されるワイヤへの負荷が軽減でき、軸部への摩耗を抑えつつ、軽量で安価な矯正装具を提供することを目的とする。
【課題を解決するための手段】
【０００８】
本発明の矯正装具は、装着者の身体に巻かれる第１ベルトおよび第２ベルトと、前記第１ベルトと前記第２ベルトとの基端部同士の間隔を接近させ、身体を締め付ける締め付け部とを備え、前記締め付け部は、前記第１ベルトと第２ベルトのそれぞれの基端部に並ぶ滑車と、前記滑車の間を交互に順次掛け回されたワイヤとを備え、前記滑車は、軸部に取り付けられるベアリングと、前記ベアリングが嵌め込まれる樹脂製で円盤状のベアリング枠とを備えたことを特徴とする。
【０００９】
本発明の矯正装具によれば、ワイヤが引かれることで、第１ベルトと第２ベルトとの基端部に配置された締め付け部の滑車が回転して、基端部同士の間隔を接近させる。滑車は、軸部に取り付けられるベアリングと、ベアリングが嵌め込まれる樹脂製で円盤状のベアリング枠とを備えている。そのため、ベアリングがスムーズに回転するので、滑車を小さい抵抗で回転させることができ、軸部の摩耗を抑えることができる。
また、ベアリングが、ベアリング枠に嵌め込まれて、直径が大きい滑車に形成されているため、直径の大きなベアリングを滑車とするより、軽量で廉価な滑車とすることができる。
【００１０】
前記ベアリング枠の外周面に、前記ワイヤが巻かれる環状溝を形成することができる。ベアリング枠の外周面に形成された溝にワイヤが巻き回されているため、ワイヤがベアリング枠から外れ難くすることができる。
【００１１】
前記締め付け部は、前記軸部が形成されたベース板を備え、前記ベース板には、前記滑車の半径方向の外側に第１円弧状壁部が形成されたものとすることができる。第１円弧状壁部が、滑車のワイヤが掛けられる側に形成されているため、更に、ワイヤをベアリング枠から外れ難くすることができる。
【００１２】
前記締め付け部は、前記ベース板に被さるカバー部を備え、前記カバー部に、前記第１円弧状壁部の半径方向の外側となる位置に円弧状突起部が形成されたものとすることができる。
ベース板にカバー部を被せたときに、第１円弧状壁部と、円弧状突起部により、滑車の半径方向の外側におけるベース板とカバー部との間を閉鎖することができる。そのため、滑車に巻かれたワイヤを緩めたときに膨らみ、滑車からワイヤが脱落することを防止することができる。
【００１３】
前記滑車が取り外された場合に、前記ワイヤが、前記第１円弧状壁部の半径方向の外側に配線されたものとすることができる。滑車を取り外して、ワイヤを第１円弧状壁部の半径方向の外側に配線すると、滑車を装着したときと同じルートで配線することができる。従って、滑車を使用した矯正装具と滑車を使用しない廉価な矯正装具とを同じ金型で成形することができる。
【００１４】
前記ベース板に、前記軸部を中心に半径方向における前記第１円弧状壁部の外側に第２円弧状壁部が形成されたものとすることができる。滑車を取り外して、ワイヤを第１円弧状壁部の半径方向の外側に配線するときに、第１円弧状壁部の外側に第２円弧状壁部が形成されているため、ワイヤが緩み膨らんでも、第２円弧状壁部がワイヤの膨らみを抑止する。また、ワイヤを円弧状突起部が抑えるため、脱落を防止することができる。
【発明の効果】
【００１５】
本発明の矯正装具によれば、ベアリングにより軽快に滑車を回転させることができ、樹脂製のベアリング枠により軽量で安価な滑車することができるため、操作されるワイヤへの負荷が軽減でき、軸部への摩耗を抑えつつ、軽量で安価なものとすることができる。
【図面の簡単な説明】
【００１６】
【図１】本発明の実施の形態１に係る矯正装具を示す図である。
【図２】図１に示す矯正装具から締め付け部を取り外した状態の図である。
【図３】図１に示す矯正装具の第１締め付け部を説明するための図であり、（Ａ）は第１締め付け部からカバー部を外した基盤部の図、（Ｂ）は（Ａ）に示す基盤部の裏面の図である。
【図４】図１に示す矯正装具の第１締め付け部のカバー部の内側面の図である。
【図５】滑車を説明するための図であり、（Ａ）はベアリングの図、（Ｂ）はベアリングが嵌め込まれる大径のベアリング枠の図、（Ｃ）は小径のベアリング枠の図である。
【図６】図１に示す矯正装具の第２締め付け部を説明するための図であり、（Ａ）は第２締め付け部からカバー部を外した基盤部の図、（Ｂ）は（Ａ）に示す基盤部の裏面の図である。
【図７】図１に示す矯正装具の第２締め付け部のカバー部の内側面の図である。
【図８】図１に示す締め付け部からカバー部を外した状態の図である。
【図９】本発明の実施の形態２に係る矯正装具を示す図であり、締め付け部からカバー部を外した状態の図である。
【発明を実施するための形態】
【００１７】
（実施の形態１）
本発明の実施の形態１に係る矯正装具を、腰に巻き付ける矯正装具を例に、図面に基づいて説明する。なお、本明細書では、腰に巻かれる第１ベルトおよび第２ベルトのおける締め付け側を基側、反対側を先側として説明する。
図１に示す矯正装具１０は、装着者の腰に巻かれる第１ベルト２１および第２ベルト２２と、第１ベルト２１と第２ベルト２２との基端部２１ａ，２２ａ同士の間隔を接近させて腰を締め付ける締め付け部３０とを備えている。
【００１８】
第１ベルト２１と第２ベルト２２とは、おもて面の幅方向の中央部に、左右方向に沿って、雄型面ファスナーまたは雌型面ファスナーのいずれかの面ファスナー２３が形成されている。
また、第２ベルト２２との先端部２２ｂの裏面には、面ファスナー２３に貼り付けられる面ファスナー２４が形成されている。
基端部２１ａ，２２ａには、締め付け部３０を取り付けるための突起部２１ｃ，２２ｃ（図２参照）が、縦列に４ヵ所形成されている。
【００１９】
図１に示す締め付け部３０は、第１締め付け部４０と、第２締め付け部５０と、ワイヤ部６０とを備えている。
第１締め付け部４０は、図３（Ａ）に示す基盤部４１と、図３（Ｂ）に示すカバー部４２とを備えている。
図３（Ａ）に示す基盤部４１は、ベース板４１１と、滑車Ｐ（滑車４１２ａ〜４１２ｇ）とを備えている。
【００２０】
ベース板４１１は、ほぼ矩形状に形成された樹脂製のパネルである。ベース板４１１には、図２に示す第１ベルト２１の基端部２１ａに形成された突起部２１ｃが大径の孔に挿入され、小径の孔へスライドされてベース板４１１が第１ベルト２１に固定される瓢箪型の固定用孔４１１ａ（図３（Ａ）参照）が４ヵ所に形成されている。
また、ベース板４１１には、カバー部４２をビス止めにより取り付けるための貫通した円筒状の突起部４１１ｂが形成されている。
【００２１】
ベース板４１１には、滑車Ｐが取り付けされる軸部４１１ｃが形成されている。
軸部４１１ｃを中心にした円弧状に形成され、滑車Ｐ（滑車４１２ａ〜４１２ｅ）の直径より大きい直径となる位置であり、滑車４１２ａ〜４１２ｇにワイヤ６１が掛けられる側に、第１円弧状壁部４１１ｄが形成されている。
つまり、第１円弧状壁部４１１ｄは、滑車Ｐの半径方向の外側に形成されている。
更に、軸部４１１ｃを中心に半径方向における第１円弧状壁部４１１ｄの外側には、第１円弧状壁部４１１ｄに隣接させた第２円弧状壁部４１１ｅが形成されている。
【００２２】
滑車Ｐとは反対側の第２円弧状壁部４１１ｅの膨らんだ側に、滑車４１２ａ〜４１２ｅが並ぶ方向に沿って、第１直線状壁部４１１ｆが形成されている。
また、４ヵ所に形成された第１直線状壁部４１１ｆのうちの２ヵ所の第１直線状壁部４１１ｆであり、締め付け用のワイヤ６１を挟んで第１直線状壁部４１１ｆの反対側に、第２直線状壁部４１１ｇが形成されている。
【００２３】
第１締め付け部４０の滑車４１２ａ〜４１２ｇ（滑車Ｐ）は、ベース板４１１に縦列に並ぶように配置されている。それぞれの滑車Ｐは、図５（Ａ）に示す軸受となるベアリングＰ１と、ベアリングＰ１が嵌め込まれる、図５（Ｂ）および同図（Ｃ）に示すベアリング枠Ｐ２とを備えている。
【００２４】
ベアリング枠Ｐ２は、樹脂製で、円盤状に形成され、中心位置に形成された孔にベアリングＰ１が嵌め込まれている。
図３に示すように、中心位置が横一列に並んだ滑車４１２ａ〜４１２ｅのうち、滑車４１２ａ〜４１２ｃのベアリング枠Ｐ２が小径に形成され、滑車４１２ｄ，４１２ｅのベアリング枠Ｐ２が大径に形成されている。ベアリング枠Ｐ２の外周面には、ワイヤ６１が巻かれる環状溝が形成されている。
滑車４１２ｆ，４１２ｇは、横一列に並んだ滑車４１２ａ〜４１２ｅから、後方へずれた位置に配置されている。滑車４１２ｆ，４１２ｇのベアリング枠Ｐ２は、小径のものが使用されている。
【００２５】
図４に示すカバー部４２には、図３（Ａ）に示す基盤部４１に重ねたときに、滑車４１２ａ〜４１２ｇの中心に位置する突起部４２１が形成されている。
また、図４に示すカバー部４２には、図３（Ａ）に示す円筒状の突起部４１１ｂに対向して、突起部４１１ｂ側から挿入されたビスがねじ止めされる突起部４２２が形成されている。
【００２６】
更に、図４に示すカバー部４２には、図３（Ａ）に示す基盤部４１（ベース板４１１）に重ねたときに、基盤部４１の第１円弧状壁部４１１ｄの半径方向の外側に位置する円弧状突起部４２３が形成されている。また、円弧状突起部４２３は、第１円弧状壁部４１１ｄと第２円弧状壁部４１１ｅとの間に位置する。
円弧状突起部４２３の厚みは、第１円弧状壁部４１１ｄと第２円弧状壁部４１１ｅとの間隔より幅狭に形成されている。円弧状突起部４２３の高さは、第１円弧状壁部４１１ｄと第２円弧状壁部４１１ｅとの間をワイヤ６１が通過可能な高さに形成されている。
【００２７】
図１に示す第２締め付け部５０は、図６（Ａ）および同図（Ｂ）に示す基盤部５１と、図７に示すカバー部５２とを備えている。
基盤部５１は、ベース板５１１と、滑車Ｐ（滑車５１２ａ〜５１２ｅ）とを備えている。
ベース板５１１は、ベース板４１１と同様に、ほぼ矩形状に形成された樹脂製のパネルである。ベース板５１１には、第２ベルト２２に固定するための瓢箪型の固定用孔５１１ａと、円筒状の突起部５１１ｂと、滑車５１２ａ〜５１２ｅが取り付けされる軸部５１１ｃとが形成されている。
軸部５１１ｃを中心にした円弧状に形成され、第２締め付け部５０から反対側で、滑車Ｐの直径より大きい直径となる位置に、第１円弧状壁部５１１ｄおよび第２円弧状壁部５１１ｅが形成されている。
【００２８】
また、ベース板５１１には、ベース板５１１の下側から、カバー部５２を被せた状態のベース板５１１内へワイヤ６１を通すための孔５１１ｆと、孔５１１ｆから基盤部４１に向かって延びて、ワイヤ６１を案内する溝５１１ｇが形成されている。
第２締め付け部５０の滑車Ｐは、滑車５１２ａ〜５１２ｄが小径に形成され、滑車５１２ｅが大径に形成されている。
【００２９】
図７に示すカバー部５２には、図６に示す滑車５１２ａ〜５１２ｅの中心に位置する突起部５２１と、円筒状の突起部５１１ｂに嵌合する突起部５２２と、基盤部５１の第１円弧状壁部５１１ｄと第２円弧状壁部５１１ｅとの間に位置する円弧状突起部５２３とが形成されている。
【００３０】
図１に示すワイヤ部６０は、滑車４１２ａ〜４１２ｇと、滑車５１２ａ〜５１２ｅとの間に巻き回されるワイヤ６１と、ワイヤ６１の両端部が接続された取っ手６２とを備えている。
ワイヤ６１は、図１に示す取っ手６２から延びて、図８に示すベース板５１１の裏側から孔５１１ｆを通って、第２締め付け部５０に入る。第２締め付け部５０からのワイヤ６１は、第１締め付け部４０の滑車４１２ｅに巻かれて、第２締め付け部５０に戻り、滑車５１２ｅに巻かれて、第１締め付け部４０へ延びている。
第１締め付け部４０では、ワイヤ６１は、滑車４１２ｇに巻かれて横方向から下方へ向きを変え、次に滑車４１２ｆに巻かれて横方向へ向きを変えて第２締め付け部５０へ向かう。
【００３１】
そして、ワイヤ６１は、第２締め付け部５０側の滑車５１２ａ〜５１２ｄと、第１締め付け部４０側の滑車４１２ａ〜４１２ｄとの間を交互に順次掛け回して往復させて、最後は孔５１１ｆを通って取っ手６２に戻る。
【００３２】
以上のように構成された本発明の実施の形態１に係る矯正装具１０の動作および使用状態を図面に基づいて説明する。
装着者は、図１に示す矯正装具１０を装着する。矯正装具１０を装着するときには、まず、装着者は、締め付け部３０を背部の腰部分に位置させ、第１ベルト２１を腰に巻きつけると共に、第２ベルト２２を第１ベルト２１に重ねて、第２ベルト２２の先端部２２ｂの面ファスナー２４を第１ベルト２１の面ファスナー２３に貼り付ける。または、胴部が細いものは、先端部２２ｂの面ファスナー２４を、締め付け部３０を通過させて、第２ベルト２２の面ファスナー２３へ貼り付ける。
【００３３】
このようにして、しっかりと矯正装具１０を腰部に巻き付けた装着者は、取っ手６２を持って、第２締め付け部５０から引っ張る方向（この場合、左方向。）へ引く。
取っ手６２が引かれると、図８に示すワイヤ６１が第２締め付け部５０から引かれる。
そうすることで、ワイヤ６１が、第１締め付け部４０の滑車Ｐと、第２締め付け部５０の滑車Ｐを引き寄せるため、第１締め付け部４０と第２締め付け部５０との間の隙間が小さくなる。従って、矯正装具１０を強く腰に巻き付かせることができる。
【００３４】
滑車Ｐは、ベアリングＰ１が軸部４１１ｃ，５１１ｃに取り付けられ、ワイヤ６１が引かれると、滑車Ｐ（滑車４１２ａ〜４１２ｇ，５１２ａ〜５１２ｅ）が回転する。ベアリングＰ１の内輪が軸部４１１ｃ，５１１ｃに固定されているが、ベアリングＰ１のボールの滑りによりスムーズに外輪が回転する。
従って、滑車Ｐを小さい抵抗で回転させることができ、軸部４１１ｃ，５１１ｃの摩耗を抑えることができる。
【００３５】
また、ベアリングＰ１は、ベアリング枠Ｐ２に嵌め込まれて、直径が大きい滑車に形成されているため、直径の大きなベアリングを滑車とするより、軽量で廉価な滑車とすることができる。
よって、矯正装具１０は、ベアリングＰ１により軽快に滑車Ｐを回転させることができ、樹脂製のベアリング枠Ｐ２により軽量で安価な滑車Ｐとすることができるため、操作されるワイヤ６１への負荷が軽減でき、軸部４１１ｃ，５１１ｃへの摩耗を抑えつつ、軽量で安価なものとすることができる。
【００３６】
ワイヤ６１は、ベアリング枠Ｐ２の外周面に形成された溝に巻き回されているため、ワイヤ６１をベアリング枠Ｐ２から外れ難くすることができる。
更に、第１円弧状壁部４１１ｄ，５１１ｄが、滑車Ｐのワイヤ６１が掛けられる側（半径方向の外側）に形成されているため、よりワイヤ６１をベアリング枠Ｐ２から外れ難くすることができる。
【００３７】
また、第２円弧状壁部４１１ｅ，５１１ｅが、第１円弧状壁部４１１ｄ，５１１ｄの
軸部４１１ｃ，５１１ｃを中心に半径方向における第１円弧状壁部４１１ｄ，５１１ｄの外側に形成されている。そして、カバー部４２，５２に、第１円弧状壁部４１１ｄ，５１１ｄの半径方向の外側となる位置（第１円弧状壁部４１１ｄ，５１１ｄと第２円弧状壁部４１１ｅ，５１１ｅとの間となる位置）に、円弧状突起部４２３，５２３が形成されている。
【００３８】
従って、基盤部４１，５１（ベース板４１１，５１１）にカバー部４２，５２を被せたときに、第１円弧状壁部４１１ｄ，５１１ｄと、円弧状突起部４２３，５２３とにより、滑車Ｐの半径方向の外側におけるベース板４１１，５１１とカバー部４２，５２との間を閉鎖することができる。そのため、滑車Ｐに巻かれたワイヤ６１を緩めたときに膨らみ、滑車Ｐからワイヤ６１が脱落することを防止することができる。
【００３９】
（実施の形態２）
本発明の実施の形態２に係る矯正装具を図面に基づいて説明する。本実施の形態２に係る矯正装具では、締め付け部から滑車を取り外し、ワイヤを第１円弧状壁部と第２円弧状壁部との間に配置したものである。
なお、図９においては、図８と同じ構成のものは同符号を付して説明を省略する。また、図９には図示されていない、図１に示す第１ベルト２１および第２ベルト２２、カバー部は、実施の形態１に係る矯正装具と同じであるため、図示せず、省略する。
【００４０】
図９に示すように、第１締め付け部４０ｘおよび第２締め付け部５０ｘでは、ベース板４１１，５１１が、図８に示す第１締め付け部４０およびと第２締め付け部５０と共通するものである。しかし、第１締め付け部４０ｘおよび第２締め付け部５０ｘでは、滑車Ｐが実装されていない。
【００４１】
ベース板４１１，５１１には、第１円弧状壁部４１１ｄ，５１１ｄだけでなく、第１円弧状壁部４１１ｄ，５１１ｄの半径方向の外側に第２円弧状壁部４１１ｅ，５１１ｅが形成されている。
また、ワイヤ６１が、第１円弧状壁部４１１ｄ，５１１ｄの半径方向の外側に配線されている。従って、図９に示すようにワイヤ６１を、第１円弧状壁部４１１ｄ，５１１ｄの半径方向の外側に配線することにより、図８に示す滑車Ｐが実装されていなくても、同じルートで、第１締め付け部４０ｘおよび第２締め付け部５０ｘの間を配線することができる。
【００４２】
そのため、実施の形態２に係る矯正装具の締め付け部３０ｘは、図８に示す締め付け部３０と同様に、腰を強く締め付けることができる。
このように、実施の形態２に係る矯正装具では、図８に示すベアリングＰ１を軸受とした滑車を取り外すことで、需要者に安価に提供することができる。
【００４３】
また、ワイヤ６１を、第１円弧状壁部４１１ｄ，５１１ｄの半径方向の外側に配線したときに、カバー部４２，５２（図４，図７参照）に、第１円弧状壁部４１１ｄ，５１１ｄの半径方向の外側となる位置（第１円弧状壁部４１１ｄ，５１１ｄと第２円弧状壁部４１１ｅ，５１１ｅとの間となる位置）に、円弧状突起部４２３，５２３（図４，図７参照）が形成されている。
従って、第１円弧状壁部４１１ｄ，５１１ｄと、円弧状突起部４２３，５２３とにより、半径方向の内側におけるベース板４１１，５１１とカバー部４２，５２との間を閉鎖することができる。そのため、ワイヤ６１を強く締め付けても、第１円弧状壁部４１１ｄ，５１１ｄからワイヤ６１が脱落することを防止することができる。
【００４４】
また、ベース板４１１，５１１に、軸部４１１ｃ，５１１ｃを中心に半径方向における第１円弧状壁部４１１ｄ，５１１ｄの外側に第２円弧状壁部４１１ｅ，５１１ｅが形成されている。
従って、滑車を取り外して、ワイヤ６１が第１円弧状壁部４１１ｄ，５１１ｄの半径方向の外側に配線され、第１円弧状壁部４１１ｄ，５１１ｄの外側に第２円弧状壁部４１１ｅ，５１１ｅが形成されているため、ワイヤ６１が緩み膨らんでも、第２円弧状壁部４１１ｅ，５１１ｅがワイヤの膨らみを抑止する。
また、円弧状突起部４２３，５２３が、ワイヤ６１を、第１円弧状壁部４１１ｄ，５１１ｄと第２円弧状壁部４１１ｅ，５１１ｅとの間で抑えるため、ワイヤ６１の脱落を防止することができる。
【００４５】
なお、本実施の形態１，２に係る矯正装具は、腰に巻き付けるものを例に、説明したが、第１ベルトおよび第２ベルトの長さおよび幅、滑車の数、ワイヤの長さを調整することで、本発明の矯正装具を、装着者の他の箇所に巻き付けるものとしても適用することが可能である。
【産業上の利用可能性】
【００４６】
本発明の矯正装具は、一般家庭や医療機関、介護施設での使用に好適である。
【符号の説明】
【００４７】
１０  矯正装具
２１  第１ベルト
２２  第２ベルト
２１ａ，２２ａ  基端部
２２ｂ  先端部
２１ｃ，２２ｃ  突起部
２３，２４  面ファスナー
３０，３０ｘ  締め付け部
４０，４０ｘ  第１締め付け部
４１  基盤部
４１１  ベース板
４１１ａ  固定用孔
４１１ｂ  突起部
４１１ｃ  軸部
４１１ｄ  第１円弧状壁部
４１１ｅ  第２円弧状壁部
４１１ｆ  第１直線状壁部
４１１ｇ  第２直線状壁部
４１２ａ〜４１２ｇ  滑車
４２  カバー部
４２１，４２２  突起部
４２３  円弧状突起部
５０，５０ｘ  第２締め付け部
５１  基盤部
５１１  ベース板
５１１ａ  固定用孔
５１１ｂ  突起部
５１１ｃ  軸部
５１１ｄ  第１円弧状壁部
５１１ｅ  第２円弧状壁部
５１１ｆ  孔
５１１ｇ  溝
５１２ａ〜５１２ｅ  滑車
５２  カバー部
５２１，５２２  突起部
５２３  円弧状突起部
６０  ワイヤ部
６１  ワイヤ
６２  取っ手
Ｐ  滑車
Ｐ１  ベアリング
Ｐ２  ベアリング枠
【図１】
2020137826.tif 000003
【図２】
2020137826.tif 000004
【図３】
2020137826.tif 000005
【図４】
2020137826.tif 000006
【図５】
2020137826.tif 000007
【図６】
2020137826.tif 000008
【図７】
2020137826.tif 000009
【図８】
2020137826.tif 000010
【図９】
2020137826.tif 000011